(57)【要約】【課題】本願は、電子機器内の回路とカードとを電気的に接続する導電性部材を設けたトレイに載せたカードが挿入口に接触する可能性を低減するカードコネクタおよび電子機器を提供することを目的とする。【解決手段】カードコネクタであり、電子機器に設けられた挿入部に挿入するカードが載るトレイと、一端が前記トレイに固定されている棒状の導電性部材と、前記導電性部材の一部であり、前記トレイに載ったカードの少なくとも一部が前記挿入部に入ると前記挿入部の挿入口に接触する接触部と、前記導電性部材に形成されている接点であり、前記接触部に接触した前記挿入口によって前記導電性部材が押されると、前記トレイに載ったカードに接触するカード接点と、を備える。【選択図】図５
2015219988.tif 000002
【特許請求の範囲】
【請求項１】
電子機器に設けられた挿入部に挿入するカードが載るトレイと、
一端が前記トレイに固定されている棒状の導電性部材と、
前記導電性部材の一部であり、前記トレイに載ったカードの少なくとも一部が前記挿入部に入ると前記挿入部の挿入口に接触する接触部と、
前記導電性部材に形成されている接点であり、前記接触部に接触した前記挿入口によって前記導電性部材が押されると、前記トレイに載ったカードに接触するカード接点と、を備える、
カードコネクタ。
【請求項２】
前記導電性部材は、前記トレイの挿入方向側の一端が前記トレイに固定されており、
前記接触部は、前記トレイに固定されている前記導電性部材の固定端とは反対側の自由端に形成されており、
前記カード接点は、前記導電性部材の固定端と自由端との間に形成されている、
請求項１に記載のカードコネクタ。
【請求項３】
前記導電性部材は、前記トレイの挿入方向側の一端が前記トレイに固定されており、
前記カード接点は、前記導電性部材の固定端とは反対側の自由端に形成されており、
前記接触部は、前記導電性部材の固定端と自由端との間に形成されている、
請求項１に記載のカードコネクタ。
【請求項４】
前記導電性部材は、前記トレイの底部に配置されており、
前記カード接点は、前記トレイに載ったカードの下面に接触する、
請求項１から３の何れか一項に記載のカードコネクタ。
【請求項５】
前記導電性部材は、前記トレイの底面に形成された開口部内に配置されている、
請求項１から４の何れか一項に記載のカードコネクタ。
【請求項６】
前記挿入部は、前記接触部の一部に形成されている基板接点と接触する電極パッドを有する基板と、前記基板の前記電極パッドを覆う位置に取り付けられた前記トレイを収容する収容体とによって形成される、
請求項１から５の何れか一項に記載のカードコネクタ。
【請求項７】
カードが挿入される挿入部と、
前記挿入部に挿入するカードが載るトレイと、
一端が前記トレイに固定されている棒状の導電性部材と、
前記導電性部材の一部であり、前記トレイに載ったカードの少なくとも一部が前記挿入部に入ると前記挿入部の挿入口に接触する接触部と、
前記導電性部材に形成されている接点であり、前記接触部に接触した前記挿入口によって前記導電性部材が押されると、前記トレイに載ったカードに接触するカード接点と、を備える、
電子機器。
【発明の詳細な説明】
【技術分野】
【０００１】
本願は、カードコネクタおよび電子機器に関する。
【背景技術】
【０００２】
近年、携帯電話やスマートフォンといった各種の電子機器が普及している。近年普及している電子機器の中には、各種の情報を記録したカードを挿入部に挿入した状態で使用するものがある。カードの挿入部としては、例えば、電子機器の筐体に設けられている孔にカードを差し込むものの他、カードをトレイに載せた状態で挿入するものがある（例えば、特許文献１−２を参照）。
【先行技術文献】
【特許文献】
【０００３】
【特許文献１】特開２００４−７９４９４号公報
【特許文献２】特開平１０−１５４２１０号公報
【発明の概要】
【発明が解決しようとする課題】
【０００４】
電子機器の挿入部に挿入されたカードと電気的に接触する導電性部材を電子機器内の基板に固定する構造は、部品を基板に実装する作業に起因する品質のばらつきを生じやすい。そこで、電子機器内の回路とカードとを電気的に接続する導電性部材をトレイに設けておき、部品を基板に実装する作業に起因する品質のばらつきを抑制することが考えられる。
【０００５】
しかし、電子機器内の回路とカードとを電気的に接続する導電性部材を設けたトレイにカードを載せると、カードに接触する導電性部材がカードを押し上げた状態となり、挿入時にカードが挿入口に接触する虞がある。
【０００６】
そこで、本願は、電子機器内の回路とカードとを電気的に接続する導電性部材を設けたトレイに載せたカードが挿入口に接触する可能性を低減するカードコネクタおよび電子機器を提供することを目的とする。
【課題を解決するための手段】
【０００７】
本願は、次のようなカードコネクタを開示する。
電子機器に設けられた挿入部に挿入するカードが載るトレイと、
一端が前記トレイに固定されている棒状の導電性部材と、
前記導電性部材の一部であり、前記トレイに載ったカードの少なくとも一部が前記挿入部に入ると前記挿入部の挿入口に接触する接触部と、
前記導電性部材に形成されている接点であり、前記接触部に接触した前記挿入口によって前記導電性部材が押されると、前記トレイに載ったカードに接触するカード接点と、を備える、
カードコネクタ。
【０００８】
また、本願は、次のような電子機器を開示する。
カードが挿入される挿入部と、
前記挿入部に挿入するカードが載るトレイと、
一端が前記トレイに固定されている棒状の導電性部材と、
前記導電性部材の一部であり、前記トレイに載ったカードの少なくとも一部が前記挿入
部に入ると前記挿入部の挿入口に接触する接触部と、
前記導電性部材に形成されている接点であり、前記接触部に接触した前記挿入口によって前記導電性部材が押されると、前記トレイに載ったカードに接触するカード接点と、を備える、
電子機器。
【発明の効果】
【０００９】
上記カードコネクタおよび電子機器であれば、電子機器内の回路とカードとを電気的に接続する導電性部材を設けたトレイに載せたカードが挿入口に接触する可能性を低減できる。
【図面の簡単な説明】
【００１０】
【図１】図１は、実施形態に係るカードコネクタの一例を示した図である。
【図２】図２は、実施形態に係るカードコネクタの構造の一例を示した図である。
【図３】図３は、導電性部材の構造の一例を示した図である。
【図４】図４は、挿入部の構造の一例を示した図である。
【図５】図５は、実施形態に係るカードコネクタのトレイに載せたカードを挿入部に挿入する状態の一例を示した図である。
【図６】図６は、比較例に係るトレイに載せたカードを挿入部に挿入する状態の一例を示した図である。
【図７】図７は、導電性部材の構造の変形例を示した図である。
【図８】図８は、変形例に係るカードコネクタのトレイに載せたカードを挿入部に挿入する状態の一例を示した図である。
【発明を実施するための形態】
【００１１】
以下、実施形態について説明する。以下に示す実施形態は、単なる例示であり、本開示の技術的範囲を以下の態様に限定するものではない。
【００１２】
図１は、実施形態に係るカードコネクタの一例を示した図である。カードコネクタ１は、図１に示すように、電子機器２０に設けられた基板２１やシェル２２によって形成される挿入部２３に挿入するカード３０が載るトレイ２を備える。
【００１３】
図２は、実施形態に係るカードコネクタ１の構造の一例を示した図である。カードコネクタ１は、図２に示すように、トレイ２と導電性部材３Ｓ，３Ｃとを備える。導電性部材３Ｓは、トレイ２に載るカード３０にアクセスするシグナルが通るシグナル用コンタクトである。導電性部材３Ｃは、トレイ２にカード３０が載っているか否かを検出するカード検出用コンタクトである。
【００１４】
トレイ２は、電子機器２０に設けられた挿入部２３に挿入するカード３０が載る部材であり、カード３０を収容する凹状の収容部４が設けられている。収容部４は、カード３０の下面を支持する底面５、カード３０の側面を支持する壁面６を有している。収容部４の上側は解放されており、収容部４の上側から収容部４内へカード３０を載せることが可能である。トレイ２には、トレイ２を挿入部２３に出し入れする際にユーザが摘むための操作部７が設けられている。
【００１５】
導電性部材３Ｓは、棒状の導電性部材である。導電性部材３Ｓは、トレイ２の底面５に形成された開口部８内に配置されている。導電性部材３Ｓは、トレイ２の挿入方向側の一端がトレイ２に固定されている。
【００１６】
導電性部材３Ｃは、棒状の導電性部材である。導電性部材３Ｃは、トレイ２の収容部４
の壁面６に一端が固定されており、固定端９Ｃとは反対側の自由端１０Ｃに接点１４が形成されている。導電性部材３Ｃは、収容部４に収納されたカード３０に押されると、接点１４が収容部４の壁面６に固定された電極１５に接触する。
【００１７】
図３は、導電性部材３Ｓの構造の一例を示した図である。導電性部材３Ｓには、トレイ２に固定される固定端９Ｓとは反対側の自由端１０Ｓに基板接点１１を有する接触部１２が形成されている。接触部１２は、トレイ２に載ったカード３０の少なくとも一部が挿入部２３に入ると挿入部２３の挿入口に接触する部分である。また、導電性部材３Ｓには、固定端９と接触部１２との間にカード接点１３が形成されている。カード接点１３は、接触部１２が挿入部２３の挿入口に接触すると、トレイ２に載ったカード３０に接触する接点である。導電性部材３Ｓは、トレイ２に固定された固定端９Ｓが導電性部材３Ｓ全体を支持する。導電性部材３Ｓは、固定端９Ｓからカード接点１３までの部分がトレイ２の挿入方向と平行に形成されている。また、導電性部材３Ｓは、カード接点１３の部分で折れ曲がっており、接触部１２がカード接点１３よりも低くなっている。
【００１８】
図４は、挿入部２３の構造の一例を示した図である。挿入部２３は、図４に示すように、接触部１２と接触する電極パッド２４Ｓを有する基板２１と、基板２１の電極パッド２４Ｓを覆う位置に取り付けられるシェル２２とによって形成される。電極パッド２４Ｓは、基板接点１１に接触する部位であり、トレイ２に載るカード３０にアクセスするシグナルが通るシグナル用パッドである。シェル２２は、トレイ２を収容する部材であり、トレイ２の高さ（厚さ）と略同等の高さを有する壁部２５や、トレイ２の収容部４を全面的に覆うことが可能な大きさを有する天板部２６を有する。シェル２２は、基板２１に形成されたシェルはんだ付け用パッド２７にはんだ付けされ、基板２１に固定される。なお、基板２１には、導電性部材３Ｃと電気的に接触する電極パッド２４ＣＣや電極１５と電気的に接触する電極パッド２４ＣＤが形成されている。カード３０を載せたトレイ２が挿入部２３に挿入されると、シェル２２の壁部２５に接触して押されたカード３０が導電性部材３Ｃを押して導電性部材３Ｃが電極１５に接触し、電極パッド２４ＣＣと電極パッド２４ＣＤとの間が電気的に繋がることになる。
【００１９】
図５は、実施形態に係るカードコネクタ１のトレイ２に載せたカード３０を挿入部２３に挿入する状態の一例を示した図である。トレイ２に載せたカード３０が挿入部２３に入る前は、接触部１２が挿入部２３の挿入口２８に接触していないため、カード３０が導電性部材３Ｓに押されて浮き上がっていない（図５（Ａ））。すなわち、カード３０が収容部４に収まった状態になっている。よって、カード３０が挿入部２３の挿入口２８に接触することなく、トレイ２を挿入部２３に挿入し続けることができる。トレイ２を挿入部２３に挿入し続けると、トレイ２に載っているカード３０の一部が挿入部２３に入り始める（図５（Ｂ））。導電性部材３Ｓの接触部１２は、カード３０の一部が挿入部２３に入ると挿入部２３の挿入口２８に接触する。導電性部材３Ｓは、接触部１２が挿入部２３に接触すると、固定端９Ｓを支点にして回動しながら上へ押し上げられる（図５（Ｃ））。導電性部材３Ｓが固定端９Ｓを支点にして回動しながら上へ押し上げられると、やがてカード接点１３がカード３０に接触する（図５（Ｄ））。カード接点１３がカード３０に接触しても、カード３０の一部が挿入部２３に既に入っているため、導電性部材３Ｓによって上へ押されているカード３０は上側からシェル２２で押さえつけられた状態になっている。従って、カード３０はシェル２２が形成する挿入部２３内の天面に沿って摺動しながら挿入部２３内に挿入される。
【００２０】
上記実施形態に係るカードコネクタ１であれば、トレイ２にカード３０を載せても導電性部材３がカード３０を押し上げないため、トレイ２の挿入時にカード３０が挿入部２３の挿入口２８に接触する可能性が低減する。また、上記実施形態に係るカードコネクタ１であれば、電子機器２０内の基板２１とカード３０とを電気的に接続する導電性部材３が
トレイ２に設けられているため、カードと電気的に接触する導電性部材が電子機器内の基板に固定されている構造を採用した場合に懸念される、部品を基板に実装する作業に起因する品質のばらつきが抑制される。
【００２１】
なお、上記実施形態に係るカードコネクタ１は、基板２１の縁に挿入口２８が形成されるように挿入部２３が配置されているが、基板２１の縁から離間した箇所にシェル２２を配置する場合、トレイ２に載置されたカード３０の挿入方向側のカード端面３０Ｔから接触部１２までの長さを、シェル２２の縁から基板２１の縁までの長さよりも長くしておくと、カード３０が挿入部２３に入り始める前に導電性部材３Ｓがカード３０を押し上げることが無くなる。
【００２２】
図６は、比較例に係るトレイに載せたカードを挿入部に挿入する状態の一例を示した図である。比較例に係るカードコネクタ１０１は、例えば、図６に示すように、電子機器１２０に設けられた基板１２１やシェル１２２によって形成される挿入部１２３に挿入するカード３０が載るトレイ１０２を備える。トレイ１０２には導電性部材１０３が備わっている。
【００２３】
導電性部材１０３には、トレイ１０２に固定されている固定端１０９の反対側が二手に分岐しており、二手に分岐するうちの一方の自由端１１０Ｂに基板接点１１１が形成され、他方の自由端１１０Ｕにカード接点１１３が形成されている。基板接点１１１は、トレイ１０２が挿入部１２３に挿入されると基板１２１に接触する部分である。カード接点１１３は、トレイ１０２に載ったカード３０に接触する部分である。
【００２４】
トレイ１０２に載ったカード３０は、カード接点１１３に接触する。よって、カード３０は、導電性部材１０３に押されて浮き上がった状態になる（図６（Ａ））。このままトレイ１０２を挿入部１２３に挿入するとカード３０が挿入部１２３の挿入口１２８に接触する。そこで、ユーザは、指１４０でカード３０を上から押さえることになる（図６（Ｂ））。ユーザが指１４０でカード３０を上から押さえたままトレイ１０２を挿入部１２３に挿入すると、カード３０は挿入部１２３の挿入口１２８に接触することなく挿入部１２３に入る（図６（Ｃ））。トレイ１０２をそのまま押し込むと、やがて基板接点１１１が基板１２１に接触する（図６（Ｄ））。
【００２５】
上記比較例に係るカードコネクタ１０１の場合、トレイ１０２に載せたカード３０が導電性部材１０３に押し上げられるため、トレイ１０２の挿入時にカード３０が挿入口１２８に接触する虞がある。よって、ユーザは、指１４０でカード３０を押しながら挿入部１２３に挿入する等の対応を採ることになり煩わしい。
【００２６】
なお、上記実施形態に係るカードコネクタ１は、例えば、以下のように変形することも可能である。
【００２７】
図７は、導電性部材３Ｓの構造の変形例を示した図である。変形例に係る導電性部材３Ｓは、固定端９Ｓの反対側の自由端１０Ｓにカード接点１３が設けられている。変形例に係る導電性部材３Ｓは、固定端９Ｓと自由端１０Ｓとの間の中間地点で下方に折れ曲がっており、くの字状に形成されている。導電性部材３Ｓの下方に折れ曲がっている部分は、基板接点１１を有する接触部１２を形成している。
【００２８】
図８は、変形例に係るカードコネクタ１のトレイ２に載せたカード３０を挿入部２３に挿入する状態の一例を示した図である。トレイ２に載せたカード３０が挿入部２３に入る前は、接触部１２が挿入部２３の挿入口２８に接触していないため、カード３０が導電性部材３Ｓに押されて浮き上がっていない（図８（Ａ））。すなわち、カード３０が収容部
４に収まった状態になっている。そして、トレイ２を挿入部２３に挿入し始めると、トレイ２に載っているカード３０の一部が挿入部２３に入り始める（図８（Ｂ））。導電性部材３Ｓの接触部１２は、カード３０の一部が挿入部２３に入ると挿入部２３の挿入口２８に接触する。導電性部材３Ｓは、接触部１２が挿入部２３に接触すると、固定端９Ｓを支点にして回動しながら上へ押し上げられる（図８（Ｃ））。導電性部材３Ｓが固定端９Ｓを支点にして回動しながら上へ押し上げられると、やがてカード接点１３がカード３０に接触する（図８（Ｄ））。カード接点１３がカード３０に接触しても、カード３０の一部が挿入部２３に既に入っているため、カード３０が挿入口２８に接触することはない。
【００２９】
上記変形例に係るカードコネクタ１であっても、実施形態と同様、トレイ２の挿入時にカード３０が挿入部２３の挿入口２８に接触する可能性が低減する。また、上記実施形態に係るカードコネクタ１であれば、カードと電気的に接触する導電性部材が電子機器内の基板に固定されている構造を採用した場合に懸念される、部品を基板に実装する作業に起因する品質のばらつきが抑制される。
【００３０】
なお、本願は、以下の付記的事項を含む。
（付記１）
電子機器に設けられた挿入部に挿入するカードが載るトレイと、
一端が前記トレイに固定されている棒状の導電性部材と、
前記導電性部材の一部であり、前記トレイに載ったカードの少なくとも一部が前記挿入部に入ると前記挿入部の挿入口に接触する接触部と、
前記導電性部材に形成されている接点であり、前記接触部に接触した前記挿入口によって前記導電性部材が押されると、前記トレイに載ったカードに接触するカード接点と、を備える、
カードコネクタ。
（付記２）
前記導電性部材は、前記トレイの挿入方向側の一端が前記トレイに固定されており、
前記接触部は、前記トレイに固定されている前記導電性部材の固定端とは反対側の自由端に形成されており、
前記カード接点は、前記導電性部材の固定端と自由端との間に形成されている、
付記１に記載のカードコネクタ。
（付記３）
前記導電性部材は、前記トレイの挿入方向側の一端が前記トレイに固定されており、
前記カード接点は、前記導電性部材の固定端とは反対側の自由端に形成されており、
前記接触部は、前記導電性部材の固定端と自由端との間に形成されている、
付記１に記載のカードコネクタ。
（付記４）
前記導電性部材は、前記トレイの底部に配置されており、
前記カード接点は、前記トレイに載ったカードの下面に接触する、
付記１から３の何れか一項に記載のカードコネクタ。
（付記５）
前記導電性部材は、前記トレイの底面に形成された開口部内に配置されている、
付記１から４の何れか一項に記載のカードコネクタ。
（付記６）
前記挿入部は、前記接触部の一部に形成されている基板接点と接触する電極パッドを有する基板と、前記基板の前記電極パッドを覆う位置に取り付けられた前記トレイを収容する収容体とによって形成される、
付記１から５の何れか一項に記載のカードコネクタ。
（付記７）
カードが挿入される挿入部と、
前記挿入部に挿入するカードが載るトレイと、
一端が前記トレイに固定されている棒状の導電性部材と、
前記導電性部材の一部であり、前記トレイに載ったカードの少なくとも一部が前記挿入部に入ると前記挿入部の挿入口に接触する接触部と、
前記導電性部材に形成されている接点であり、前記接触部に接触した前記挿入口によって前記導電性部材が押されると、前記トレイに載ったカードに接触するカード接点と、を備える、
電子機器。
（付記８）
前記導電性部材は、前記トレイの挿入方向側の一端が前記トレイに固定されており、
前記接触部は、前記トレイに固定されている前記導電性部材の固定端とは反対側の自由端に形成されており、
前記カード接点は、前記導電性部材の固定端と自由端との間に形成されている、
付記７に記載の電子機器。
（付記９）
前記導電性部材は、前記トレイの挿入方向側の一端が前記トレイに固定されており、
前記カード接点は、前記導電性部材の固定端とは反対側の自由端に形成されており、
前記接触部は、前記導電性部材の固定端と自由端との間に形成されている、
付記７に記載の電子機器。
（付記１０）
前記導電性部材は、前記トレイの底部に配置されており、
前記カード接点は、前記トレイに載ったカードの下面に接触する、
付記７から９の何れか一項に記載の電子機器。
（付記１１）
前記導電性部材は、前記トレイの底面に形成された開口部内に配置されている、
付記７から１０の何れか一項に記載の電子機器。
（付記１２）
前記挿入部は、前記接触部の一部に形成されている基板接点と接触する電極パッドを有する基板と、前記基板の前記電極パッドを覆う位置に取り付けられた前記トレイを収容する収容体とによって形成される、
付記７から１１の何れか一項に記載の電子機器。
【符号の説明】
【００３１】
１，１０１・・カードコネクタ
２，１０２・・トレイ
３Ｓ，３Ｃ，１０３・・導電性部材
４・・収容部
５・・底面
６・・壁面
７・・操作部
８・・開口部
９Ｓ，９Ｃ，１０９・・固定端
１０Ｓ，１０Ｃ，１１０Ｂ，１１０Ｕ・・自由端
１１，１１１・・基板接点
１２・・接触部
１３，１１３・・カード接点
１４・・接点
１５・・電極
２０，１２０・・電子機器
２１，１２１・・基板
２２，１２２・・シェル
２３，１２３・・挿入部
２４Ｓ，２４ＣＣ，２４ＣＤ・・電極パッド
２５・・壁部
２６・・天板部
２７・・シェルはんだ付け用パッド
２８，１２８・・挿入口
３０・・カード
３０Ｔ・・カード端面
１４０・・指
【図１】
2015219988.tif 000003
【図２】
2015219988.tif 000004
【図３】
2015219988.tif 000005
【図４】
2015219988.tif 000006
【図５】
2015219988.tif 000007
【図６】
2015219988.tif 000008
【図７】
2015219988.tif 000009
【図８】
2015219988.tif 000010